(57)【要約】【課題】携帯機またはイモビユニットに特別の装置を別途接続することなく相互認証データを登録または削除することが可能であり、かつ、車両システムとしてもセキュリティの高い車両用盗難防止装置を提供することを目的とする。【解決手段】第１の相互認証データとＩＤコードを用いた高度に暗号化された認証方式に基づき、イモビライザユニット８側の第１のアンテナ４と携帯機１５側の第２のアンテナ１１を介して相互認証を行った後、第２の記憶部６と第３の記憶部１２に第１の相互認証データとは異なる第２の相互認証データを格納する構成としたものである。【選択図】図１
2006117086.tif 000002
【特許請求の範囲】
【請求項１】
情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部と、第４の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第４の記憶部に格納された前記第１の相互認証データと同一のデータ、または、前記第１の相互認証データとは異なる第２の相互認証データが前記第３の記憶部に格納され、且つ、前記第２、第１のアンテナを介して前記第２の記憶部にも格納されるように構成された車両用盗難防止装置。
【請求項２】
携帯機には第５の記憶部が設けられ、この第５の記憶部にはＩＤコードが格納され、このＩＤコードも用いて相互認証が行われるように構成された請求項１に記載の車両用盗難防止装置。
【請求項３】
イモビユニットには第６の記憶部が設けられ、第５の記憶部に格納されたＩＤコードが第２、第１のアンテナを介して前記第６の記憶部に格納されるように構成された請求項２に記載の車両用盗難防止装置。
【請求項４】
情報受付部に第２の所定の指示が入力されたとき、第２、第３の記憶部に格納されたデータがいずれも第１の相互認証データとは異なる第２の相互認証データの場合は、前記第２の相互認証データとは異なる第１の蓄積データが第１のデータ処理部または第２のデータ処理部のいずれか一方で生成され、前記第１の蓄積データが前記第２の記憶部または前記第３の記憶部に格納され、第２、第３の記憶部に格納されたデータがいずれも前記第１の相互認証データと同一の場合は、前記第１の相互認証データとは異なる第２の蓄積データが前記第１のデータ処理部または前記第２のデータ処理部のいずれか一方で生成され、前記第２の蓄積データが前記第２の記憶部または前記第３の記憶部に格納されるように構成された請求項１に記載の車両用盗難防止装置。
【請求項５】
情報受付部に第２の所定の指示が入力されたとき、第１の記憶部に格納された第１の相互認証データを第１、第２のアンテナを介して第３の記憶部に格納するとともに、第２の記憶部に格納されたデータが前記第１の相互認証データとは異なる第２の相互認証データの場合は、前記第２の相互認証データをそのまま保持し、前記第２の記憶部に格納されたデータが前記第１の相互認証データと同じ場合は、第１のデータ処理部により前記第１の相互認証データとは異なる第２の蓄積データが生成され、この第２の蓄積データが第２の記憶部に格納されるように構成された請求項１に記載の車両用盗難防止装置。
【請求項６】
情報受付部に第２の所定の指示が入力されたとき、第６の記憶部に格納されたＩＤコードとは異なる第３の蓄積データが第１のデータ処理部で生成され、この第３の蓄積データが前記第６の記憶部に格納されるように構成された請求項３に記載の車両用盗難防止装置。
【請求項７】
情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第２の記憶部に格納された前記第１の相互認証データと同一のデータ、または、前記第１の相互認証データとは異なる第２の相互認証データが前記第１、第２のアンテナを介して前記第３の記憶部に格納されるように構成された車両用盗難防止装置。
【請求項８】
携帯機には第５の記憶部が設けられ、この第５の記憶部にはＩＤコードが格納され、このＩＤコードも用いて相互認証が行われるように構成された請求項７に記載の車両用盗難防止装置。
【請求項９】
イモビユニットには第６の記憶部が設けられ、第５の記憶部に格納されたＩＤコードが第２、第１のアンテナを介して前記第６の記憶部に格納されるように構成された請求項８に記載の車両用盗難防止装置。
【請求項１０】
情報受付部に第２の所定の指示が入力されたとき、第２、第３の記憶部に格納されたデータがいずれも第１の相互認証データとは異なる第２の相互認証データの場合は、前記第２の相互認証データとは異なる第１の蓄積データが第１のデータ処理部または第２のデータ処理部のいずれか一方で生成され、前記第１の蓄積データが前記第２の記憶部または前記第３の記憶部に格納され、第２、第３の記憶部に格納されたデータがいずれも前記第１の相互認証データと同一の場合は、前記第１の相互認証データとは異なる第２の蓄積データが前記第１のデータ処理部または前記第２のデータ処理部のいずれか一方で生成され、前記第２の蓄積データが前記第２の記憶部または前記第３の記憶部に格納されるように構成された請求項７に記載の車両用盗難防止装置。
【請求項１１】
情報受付部に第２の所定の指示が入力されたとき、第１の記憶部に格納された第１の相互認証データを第１、第２のアンテナを介して第３の記憶部に格納するとともに、第２の記憶部に格納されたデータが前記第１の相互認証データとは異なる第２の相互認証データの場合は、前記第２の相互認証データをそのまま保持し、前記第２の記憶部に格納されたデータが前記第１の相互認証データと同じ場合は、第１のデータ処理部により前記第１の相互認証データとは異なる第２の蓄積データが生成され、この第２の蓄積データが第２の記憶部に格納されるように構成された請求項７に記載の車両用盗難防止装置。
【請求項１２】
情報受付部に第２の所定の指示が入力されたとき、第６の記憶部に格納されたＩＤコードとは異なる第３の蓄積データが第１のデータ処理部で生成され、この第３の蓄積データが前記第６の記憶部に格納されるように構成された請求項９に記載の車両用盗難防止装置。
【請求項１３】
情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第２のデータ処理部で生成される前記第１の相互認証データと同一のデータ、または、前記第１の相互認証データとは異なる第２の相互認証データが前記第３の記憶部に格納され、且つ、前記第２、第１のアンテナを介して前記第２の記憶部にも格納されるように構成された車両用盗難防止装置。
【請求項１４】
携帯機には第５の記憶部が設けられ、この第５の記憶部にはＩＤコードが格納され、このＩＤコードも用いて相互認証が行われるように構成された請求項１３に記載の車両用盗難防止装置。
【請求項１５】
イモビユニットには第６の記憶部が設けられ、第５の記憶部に格納されたＩＤコードが第２、第１のアンテナを介して前記第６の記憶部に格納されるように構成された請求項１４に記載の車両用盗難防止装置。
【請求項１６】
情報受付部に第２の所定の指示が入力されたとき、第２、第３の記憶部に格納されたデータがいずれも第１の相互認証データとは異なる第２の相互認証データの場合は、前記第２の相互認証データとは異なる第１の蓄積データが第１のデータ処理部または第２のデータ処理部のいずれか一方で生成され、前記第１の蓄積データが前記第２の記憶部または前記第３の記憶部に格納され、第２、第３の記憶部に格納されたデータがいずれも前記第１の相互認証データと同一の場合は、前記第１の相互認証データとは異なる第２の蓄積データが前記第１のデータ処理部または前記第２のデータ処理部のいずれか一方で生成され、前記第２の蓄積データが前記第２の記憶部または前記第３の記憶部に格納させるように構成された請求項１３に記載の車両用盗難防止装置。
【請求項１７】
情報受付部に第２の所定の指示が入力されたとき、第１の記憶部に格納された第１の相互認証データを第１、第２のアンテナを介して第３の記憶部に格納するとともに、第２の記憶部に格納されたデータが前記第１の相互認証データとは異なる第２の相互認証データの場合は、前記第２の相互認証データをそのまま保持し、前記第２の記憶部に格納されたデータが前記第１の相互認証データと同じ場合は、第１のデータ処理部により前記第１の相互認証データとは異なる第２の蓄積データが生成され、この第２の蓄積データが第２の記憶部に格納されるように構成された請求項１３に記載の車両用盗難防止装置。
【請求項１８】
情報受付部に第２の所定の指示が入力されたとき、第６の記憶部に格納されたＩＤコードとは異なる第３の蓄積データが第１のデータ処理部で生成され、この第３の蓄積データが前記第６の記憶部に格納されるように構成された請求項１５に記載の車両用盗難防止装置。
【請求項１９】
情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第１のデータ処理部で生成される前記第１の相互認証データと同一のデータ、または、前記第１の相互認証データとは異なる第２の相互認証データが前記第２の記憶部に格納され、且つ、前記第１、第２のアンテナを介して前記第３の記憶部にも格納されるように構成された車両用盗難防止装置。
【請求項２０】
携帯機には第５の記憶部が設けられ、この第５の記憶部にはＩＤコードが格納され、このＩＤコードも用いて相互認証が行われるように構成された請求項１９に記載の車両用盗難防止装置。
【請求項２１】
イモビユニットには第６の記憶部が設けられ、第５の記憶部に格納されたＩＤコードが第２、第１のアンテナを介して前記第６の記憶部に格納されるように構成された請求項２０に記載の車両用盗難防止装置。
【請求項２２】
情報受付部に第２の所定の指示が入力されたとき、第２、第３の記憶部に格納されたデータがいずれも第１の相互認証データとは異なる第２の相互認証データの場合は、前記第２の相互認証データとは異なる第１の蓄積データが第１のデータ処理部または第２のデータ処理部のいずれか一方で生成され、前記第１の蓄積データが前記第２の記憶部または前記第３の記憶部に格納され、第２、第３の記憶部に格納されたデータがいずれも前記第１の相互認証データと同一の場合は、前記第１の相互認証データとは異なる第２の蓄積データが前記第１のデータ処理部または前記第２のデータ処理部のいずれか一方で生成され、前記第２の蓄積データが前記第２の記憶部または前記第３の記憶部に格納させるように構成された請求項１９に記載の車両用盗難防止装置。
【請求項２３】
情報受付部に第２の所定の指示が入力されたとき、第１の記憶部に格納された第１の相互認証データを第１、第２のアンテナを介して第３の記憶部に格納するとともに、第２の記憶部に格納されたデータが前記第１の相互認証データとは異なる第２の相互認証データの場合は、前記第２の相互認証データをそのまま保持し、前記第２の記憶部に格納されたデータが前記第１の相互認証データと同じ場合は、第１のデータ処理部により前記第１の相互認証データとは異なる第２の蓄積データが生成され、この第２の蓄積データが第２の記憶部に格納されるように構成された請求項１９に記載の車両用盗難防止装置。
【請求項２４】
情報受付部に第２の所定の指示が入力されたとき、第６の記憶部に格納されたＩＤコードとは異なる第３の蓄積データが第１のデータ処理部で生成され、この第３の蓄積データが前記第６の記憶部に格納されるように構成された請求項２１に記載の車両用盗難防止装置。
【発明の詳細な説明】
【技術分野】
【０００１】
本発明は、車両用盗難防止装置に関するものである。
【背景技術】
【０００２】
近年、車両の盗難を防止するための車両用盗難防止装置として、以下に述べるようなものが提案されている。
【０００３】
例えば、車メーカーの工場またはディーラーが所有する所定の設備を用いて、まず車両内に搭載されたイモビユニット側に設けられたＲＯＭに携帯機側が所有すると同一の暗号鍵、パスワード、ＩＤを書き込むことにより登録が行われる。この登録後に、車両内のイモビユニットと携帯機間で所定のセキュリティの高い認証動作が行われ、携帯機が正規のものであると判断された場合には、エンジンが始動する仕組みとなっている。
【０００４】
なお、この出願の発明に関連する先行技術文献情報としては、例えば、特許文献１が知られている。
【特許文献１】特開平８−４０２０６号公報
【発明の開示】
【発明が解決しようとする課題】
【０００５】
上記車両用盗難防止装置においては、確かにセキュリティの高い認証が可能である。しかし、携帯機側が所有すると同一の暗号鍵、パスワード、ＩＤを車両内に設けられたイモビユニット側のＲＯＭに登録するために、特別の装置が必要となる。
【０００６】
本発明は上記従来の課題を解決するもので、携帯機またはイモビユニットに特別の装置を別途接続することなく相互認証データを登録または削除することが可能であり、かつ、車両システムとしてもセキュリティの高い車両用盗難防止装置を提供することを目的とする。
【課題を解決するための手段】
【０００７】
上記目的を達成するために、本発明の請求項１に記載の発明は、情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部と、第４の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第４の記憶部に格納された前記第１の相互認証データと同一のデータ、または、前記第１の相互認証データとは異なる第２の相互認証データが前記第３の記憶部に格納され、且つ、前記第２、第１のアンテナを介して前記第２の記憶部にも格納されるように構成されているため、携帯機またはイモビユニットに特別の装置を別途接続することなく相互認証データを登録または削除することが可能であり、かつ、車両システムとしてもセキュリティの高い車両用盗難防止装置を実現することが可能である。また、第４の記憶部に必要なデータがあらかじめ格納されているため、相互認証後に行う第２の記憶部と第３の記憶部への前記データの登録が迅速になるという作用効果を有する。
【０００８】
本発明の請求項７に記載の発明は、情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第２の記憶部に格納された前記第１の相互認証データと同一のデータ、または、前記第１の相互認証データとは異なる第２の相互認証データが前記第１、第２のアンテナを介して前記第３の記憶部に格納されるように構成されているため、携帯機またはイモビユニットに特別の装置を別途接続することなく相互認証データを登録または削除することが可能であり、かつ、車両システムとしてもセキュリティの高い車両用盗難防止装置を実現することが可能である。また、第２の記憶部に必要なデータがあらかじめ格納されているため、相互認証後に行う第３の記憶部への前記データの登録が迅速になるという作用効果を有する。
【０００９】
本発明の請求項１３に記載の発明は、情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第２のデータ処理部で生成される前記第１の相互認証データと同一のデータ、または、前記第１の相互認証データとは異なる第２の相互認証データが前記第３の記憶部に格納され、且つ、前記第２、第１のアンテナを介して前記第２の記憶部にも格納されるように構成されているため、携帯機またはイモビユニットに特別の装置を別途接続することなく相互認証データを登録または削除することが可能であり、かつ、車両システムとしてもセキュリティの高い車両用盗難防止装置を実現することが可能である。また、相互認証後に行う第２及び第３の記憶部に登録するデータを第２のデータ処理部で生成させるため、このデータを保存するための記憶部は不要になるという作用効果を有する。
【００１０】
本発明の請求項１９に記載の発明は、情報受付部と、この情報受付部が接続された第１のデータ処理部と、この第１のデータ処理部に接続された第１の通信部と、この第１の通信部に接続された第１のアンテナと、第１の相互認証データが格納された第１の記憶部と、第２の記憶部とを有したイモビユニットと、第２のデータ処理部と、この第２のデータ処理部に接続された第２の通信部と、この第２の通信部に接続された第２のアンテナと、前記第１の相互認証データが格納された第３の記憶部とを有した携帯機とを備え、前記情報受付部に第１の所定の指示が入力されると、前記第１の記憶部に格納された前記第１の相互認証データと前記第３の記憶部に格納された前記第１の相互認証データとを用い前記第１、第２のアンテナを介して相互認証が行われ、さらに前記第１のデータ処理部で生成される前記第１の相互認証データと同一のデータ、または、前記第１の相互認証データとは異なる第２の相互認証データが前記第２の記憶部に格納され、且つ、前記第１、第２のアンテナを介して前記第３の記憶部にも格納されるように構成されているため、携帯機またはイモビユニットに特別の装置を別途接続することなく相互認証データを登録または削除することが可能であり、かつ、車両システムとしてもセキュリティの高い車両用盗難防止装置を実現することが可能である。また、相互認証後に行う第２及び第３の記憶部に登録するデータを第１のデータ処理部で生成させるため、このデータを保存するための記憶部は不要になるという作用効果を有する。
【発明の効果】
【００１１】
本発明の車両用盗難防止装置は、携帯機またはイモビユニットに特別の装置を別途接続することなく相互認証データを登録または削除することが可能であり、かつ、車両システムとしてもセキュリティの高さも維持することができる。
【発明を実施するための最良の形態】
【００１２】
（実施の形態１）
図１は本発明の実施の形態１における車両用盗難防止装置を説明するブロック図である。
【００１３】
図１において、１は情報受付部、２は情報受付部１が接続された第１のデータ処理部、３はこの第１のデータ処理部２に接続された第１の通信部、４はこの第１の通信部３に接続された第１のアンテナ、５は第１の相互認証データが格納された第１の記憶部、６は第２の記憶部、７は第６の記憶部、８は情報受付部１、第１のデータ処理部２、第１の通信部３、第１のアンテナ４、第１の記憶部５、第２の記憶部６と第６の記憶部７とを有したイモビユニット、９は第２のデータ処理部、１０はこの第２のデータ処理部９に接続された第２の通信部、１１はこの第２の通信部１０に接続された第２のアンテナ、１２は前記第１の相互認証データと同じデータが格納された第３の記憶部、１３は第４の記憶部、１４は第５の記憶部、１５は第２のデータ処理部９、第２の通信部１０、第２のアンテナ１１、第３の記憶部１２、第４の記憶部１３と第５の記憶部１４とを有した携帯機である。また、イモビユニット８と携帯機１５より車両用盗難防止装置が構成されている。
【００１４】
情報受付部１に第１の所定の指示が入力されると、第１のデータ処理部２が第１の通信部３及び第１のアンテナ４を介して携帯機１５側の第２のアンテナ１１及び第２の通信部１０を経て第２のデータ処理部９にＩＤ要求が伝えられる。次に、第２のデータ処理部９がＩＤ要求を受け取ると第５の記憶部１４に格納されているＩＤコードを第２の通信部１０及び第２のアンテナ１１を介してイモビユニット８側の第１のアンテナ４及び第１の通信部３を経て第１のデータ処理部２にＩＤコードが伝えられる。次に、第１のデータ処理部２がＩＤコードを受け取ると第１の記憶部５と第３の記憶部１２にそれぞれ格納された第１の相互認証データとＩＤコードを用いた高度に暗号化された認証方式に基づき、イモビライザユニット８側の第１のアンテナ４と携帯機１５側の第２のアンテナ１１を介して相互認証が行われる。
【００１５】
次に、イモビライザユニット８と携帯機１５間の相互認証が完了すると、第１のデータ処理部２から第１の通信部３及び第１のアンテナ４を介して、携帯機１５側の第２のアンテナ１１及び第２の通信部１０を経て第２のデータ処理部９に第４の記憶部１３に格納された第１の相互認証データとは異なる第２の相互認証データを要求する。次に、第２のデータ処理部９は前記要求に従って、第４の記憶部１３に格納された第２の相互認証データを第２の通信部１０及び第２のアンテナ１１を介してイモビユニット８側の第１のアンテナ４及び第１の通信部３を経て第１のデータ処理部２に伝えられる。第１のデータ処理部２が第２の相互認証データを受け取ると第２の記憶部６に第２の相互認証データを格納する。さらに、この第１のデータ処理部２は第２の記憶部６に格納した第２の相互認証データと同一のデータを第１の通信部３及び第１のアンテナ４を介して携帯機１５側の第２のアンテナ１１及び第２の通信部１０を経て第２のデータ処理部９に伝える。最後に、第２のデータ処理部９は、この第２の相互認証データを第３の記憶部１２に格納する。以上により、一連の登録手順が完了する。
【００１６】
上記一連の登録により第２の記憶部６と第３の記憶部１２に格納されたデータの少なくとも一方を削除したい場合は、以下のような手順に従う。
【００１７】
情報受付部１に第２の所定の指示が入力されると、第１のデータ処理部２が第１の通信部３及び第１のアンテナ４を介して携帯機１５側の第２のアンテナ１１及び第２の通信部１０を経て第２のデータ処理部９にＩＤ要求が伝えられる。次に、第２のデータ処理部９がＩＤ要求を受け取ると第５の記憶部１４に格納されているＩＤコードを第２の通信部１０及び第２のアンテナ１１を介してイモビユニット８側の第１のアンテナ４及び第１の通信部３を経て第１のデータ処理部２にＩＤコードが伝えられる。次に、第１のデータ処理部２がＩＤコードを受け取ると、第２の記憶部６と第３の記憶部１２にそれぞれ格納された第２の相互認証データとＩＤデータを用いた高度に暗号化された認証方式に基づき、イモビライザユニット８側の第１のアンテナ４と携帯機１５側の第２のアンテナ１１を介して相互認証が行われる。
【００１８】
次に、上述のようなイモビライザユニット８と携帯機１５間の相互認証が完了すると、第１のデータ処理部２は第１の記憶部５に格納されている第１の相互認証データを第１の通信部３及び第１のアンテナ４を介して、携帯機１５側の第２のアンテナ１１及び第２の通信部１０を経て第２のデータ処理部９に伝えられる。第２のデータ処理部９はこの第１の相互認証データを第３の記憶部１２に格納する。以上により、一連の削除手順が完了する。
【００１９】
この構成により、携帯機１５またはイモビユニット８に特別の装置を別途接続することなく相互認証データを登録または削除することが可能であり、かつ、車両システムとしてもセキュリティの高い車両用盗難防止装置を実現することが可能である。また、第４の記憶部１３に必要なデータがあらかじめ格納されているため、相互認証後に行う第２の記憶部６と第３の記憶部１２への前記データの登録が迅速になる。
【００２０】
本実施の形態においては、第４の記憶部１３に格納されたデータとして第１の相互認証データとは異なる第２の相互認証データを用いた場合について説明してきたが、第１の相互認証データと同一のデータを用いることも可能である。
【００２１】
本実施の形態においては、携帯機１５に設けられた第５の記憶部１４にＩＤコードが格納された例について説明してきたが、必ずしもこれに特定されるものではなくＩＤコードを使用しないことも可能である。
【００２２】
本実施の形態においては、第２の記憶部６と第３の記憶部１２にそれぞれ第１の相互認証データとは異なる第２の相互認証データが登録された場合における一連の削除手順を説明してきたが、第２の記憶部６と第３の記憶部１２にそれぞれ第１の相互認証データと同一のデータが登録されている場合は、第１のデータ処理部２により第１の相互認証データとは異なる第２の蓄積データを生成させ、この第２の蓄積データを第２の記憶部６に格納することによって一連の削除手順を完了させることもできる。
【００２３】
また、本実施の形態においては、第２の記憶部６と第３の記憶部１２にそれぞれ第１の相互認証データとは異なる第２の相互認証データが登録された場合における一連の削除手順を説明してきたが、第６の記憶部７に格納されたＩＤコードとは異なる第３の蓄積データを第１のデータ処理部２で生成させ、第６の記憶部７に第３の蓄積データを格納させることによっても一連の削除手順を完了させることもできる。
【００２４】
なお、本実施の形態においてはイモビユニット８と携帯機１５とが１対１のペアをなし、携帯機１５側に設けられた第４の記憶部１３に第１の相互認証データとは異なる第２の相互認証データが１種類格納されている例について説明してきたが、必ずしもこれに特定されるものではなく、第４の記憶部１３には第１の相互認証データとはそれぞれ異なる複数種類のデータを格納しておくことも可能である。この第１の相互認証データとはそれぞれ異なる複数種類のデータを用いることにより、イモビユニット８側に設けられた第２の記憶部６にも前記複数種類のデータをそれぞれ対を成すように別々に格納することが可能である。１つの携帯機１５の第４の記憶部１３毎には、第１の相互認証データとは異なるデータが１種類のみ格納されており、このデータをイモビユニット８側に設けられた第２の記憶部６に格納し、且つ、別の携帯機１５の第４の記憶部１３に格納された前記第１の相互認証データとは異なる別のデータをイモビユニット８側に設けられた第２の記憶部６にそれぞれ独立して格納することも可能である。
【００２５】
（実施の形態２）
図２は本発明の実施の形態２における車両用盗難防止装置を説明するブロック図である。
【００２６】
図２において、図１に示す構成と同一の部分に関しては同一番号を付与して、詳細な説明を省略する。本実施の形態における特徴とする点は、図１に示す携帯機１５内に第４の記憶部１３が省略されていることである。このことに基づく特徴的な動作手順についてのみ以下に詳述する。
【００２７】
イモビライザユニット８と携帯機１５間の相互認証が完了すると、第１のデータ処理部２は第２の記憶部６に格納されている第１の相互認証データとは異なる第２の相互認証データを第１の通信部３及び第１のアンテナ４を介して携帯機１５側の第２のアンテナ１１及び第２の通信部１０を経て第２のデータ処理部９に伝える。第２のデータ処理部９はこの第２の相互認証データを第３の記憶部１２に格納する。以上により、一連の登録手順が完了する。
【００２８】
本実施の形態においては、第２の記憶部６に格納されているデータとしては第１の相互認証データとは異なる第２の相互認証データについて説明してきたが、第２の記憶部６に格納されているデータとしては第１の相互認証データを用いることも可能である。
【００２９】
本実施の形態においても、一連の登録作業後に第２の記憶部６または第３の記憶部１２に格納されたデータを削除するにあたっては、前述の実施の形態１に説明したものを用いることが可能である。
【００３０】
この構成により、携帯機１５またはイモビユニット８に特別の装置を別途接続することなく相互認証データを登録または削除することが可能であり、かつ、車両システムとしてもセキュリティの高い車両用盗難防止装置を実現することが可能である。また、第２の記憶部６に必要なデータがあらかじめ格納されているため、相互認証後に行う第３の記憶部１２への前記データの登録が迅速になる。
【００３１】
なお、本実施の形態においては、イモビユニット８と携帯機１５とが１対１のペアをなし、イモビユニット８側に設けられた第２の記憶部６には第１の相互認証データとは異なる第２の相互認証データが１種類格納されている例について説明してきたが、必ずしもこれに特定されるものではなく、第２の記憶部６には第１の相互認証データとはそれぞれ異なる複数種類のデータを格納しておくことも可能である。この第１の相互認証データとはそれぞれ異なる複数種類のデータを用いることにより、複数の携帯機１５毎に前記複数種類のデータの中からそれぞれ１種類ずつ選択し、第３の記憶部１２にそれぞれ異なるデータを格納させることができる。
【００３２】
（実施の形態３）
本実施の形態における特徴とする点は、実施の形態２の図２に示す構成の場合と同様に、携帯機１５内に第４の記憶部１３が省略されていることである。このことに基づく実施の形態２とは異なる特徴的な動作手順についてのみ以下に詳述する。
【００３３】
イモビライザユニット８と携帯機１５間の相互認証が完了すると、第１のデータ処理部２から第１の通信部３及び第１のアンテナ４を介して、携帯機１５側の第２のアンテナ１１及び第２の通信部１０を経て第２のデータ処理部９に第１の相互認証データとは異なる第２の相互認証データの生成を要求する。第２のデータ処理部９は要求に従って第２の相互認証データを生成し、この第２の相互認証データを第２の通信部１０及び第２のアンテナ１１を介してイモビユニット８側の第１のアンテナ４及び第１の通信部３を経て第１のデータ処理部２に伝える。第１のデータ処理部２が第２の相互認証データを受け取ると第２の記憶部６に第２の相互認証データを格納する。さらに、この第１のデータ処理部２は第２の記憶部６に格納した第２の相互認証データと同一のデータを第１の通信部３及び第１のアンテナ４を介して携帯機１５側の第２のアンテナ１１及び第２の通信部１０を経て第２のデータ処理部９に伝える。第２のデータ処理部９はこの第２の相互認証データを第３の記憶部１２に格納する。以上により、一連の登録手順が完了する。
【００３４】
上述した以外の一連の登録及び削除手順に関しては、実施の形態１に説明したものと同一の構成を採用することが可能である。
【００３５】
この構成により、携帯機１５またはイモビユニット８に特別の装置を別途接続することなく相互認証データを登録または削除することが可能であり、かつ、車両システムとしてもセキュリティの高い車両用盗難防止装置を実現することが可能である。また、相互認証後に行う第２及び第３の記憶部６，１２に登録するデータを第２のデータ処理部９で生成させるため、このデータを保存するための特別の記憶部は不要になる。
【００３６】
（実施の形態４）
本実施の形態における特徴とする点は、実施の形態２の図２に示す構成の場合と同様に、携帯機１５内に第４の記憶部１３が省略されていることである。このことに基づく実施の形態２、３とは異なる特徴的な動作手順についてのみ以下に詳述する。
【００３７】
イモビライザユニット８と携帯機１５間の相互認証が完了すると、第１のデータ処理部２で第１の相互認証データとは異なる第２の相互認証データの生成し、この第２の相互認証データを第１の通信部３及び第１のアンテナ４を介して携帯機１５側の第２のアンテナ１１及び第２の通信部１０を経て第２のデータ処理部９に伝える。第２のデータ処理部９はこの第２の相互認証データを第３の記憶部１２に格納する。以上により、一連の登録手順が完了する。
【００３８】
上述した以外の一連の登録及び削除手順に関しては、実施の形態１に説明したものと同一の構成を採用することが可能である。
【００３９】
この構成により、携帯機１５またはイモビユニット８に特別の装置を別途接続することなく相互認証データを登録または削除することが可能であり、かつ、車両システムとしてもセキュリティの高い車両用盗難防止装置を実現することが可能である。また、相互認証後に行う第２及び第３の記憶部６，１２に登録するデータを第１のデータ処理部２で生成させるため、このデータを保存するための記憶部は不要になる。
【産業上の利用可能性】
【００４０】
本発明の車両用盗難防止装置は、携帯機またはイモビユニットに特別の装置を別途接続することなく相互認証データを登録または削除することが可能であり、かつ、車両システムとしてもセキュリティが高い車両用盗難防止装置として有用である。
【図面の簡単な説明】
【００４１】
【図１】本発明の実施の形態１における車両用盗難防止装置を説明するブロック図
【図２】本発明の実施の形態２における車両用盗難防止装置を説明するブロック図
【符号の説明】
【００４２】
１  情報受付部
２  第１のデータ処理部
３  第１の通信部
４  第１のアンテナ
５  第１の記憶部
６  第２の記憶部
７  第６の記憶部
８  イモビユニット
９  第２のデータ処理部
１０  第２の通信部
１１  第２のアンテナ
１２  第３の記憶部
１３  第４の記憶部
１４  第５の記憶部
１５  携帯機
【図１】
2006117086.tif 000003
【図２】
2006117086.tif 000004